(57)【要約】【課題】ピンの上下運動だけで穿孔負荷に応じて回転運動に変換させるので、穿孔負荷の低減、静音化の機構を備えた穿孔処理装置を提供する。【解決手段】予め定められた穿孔方向に上下昇降する穿孔部材と、穿孔部材が挿通されるダイス孔を有したダイフレームとを備える穿孔装置であって、穿孔部材は用紙を穿孔するパンチピン２１と、穿孔部材を昇降させる昇降部材と、昇降部材と連結するパンチピン保持部材２２と、パンチピン２１とパンチピン保持部材２２の間に配置される弾性部材２３と、を有し、パンチピン２１はパンチピン保持部材２２によりに回転自在に保持され、パンチピン保持部材２２の下降により弾性部材２３が圧縮され、パンチピン２１とパンチピン保持部材２２が当接することによりパンチピン２１に回転を付与させる螺旋状の回転機構を有する。【選択図】図２
2015217456.tif 000002
【特許請求の範囲】
【請求項１】
予め定められた穿孔方向に上下昇降する穿孔部材と、前記穿孔部材が挿通されるダイス孔を有したダイフレームとを備える穿孔装置であって、
前記穿孔部材は用紙を穿孔するパンチピンと、
前記穿孔部材を昇降させる昇降部材と、
前記昇降部材と連結するパンチピン保持部材と、
パンチピンとパンチピン保持部材の間に配置される弾性部材と、を有し、
前記パンチピンは前記パンチピン保持部材により回転自在に保持され、パンチピン保持部材の下降により前記弾性部材が圧縮され、パンチピンとパンチピン保持部材が当接することにより前記パンチピンに回転を付与させる螺旋状の回転機構を有することを特徴とする穿孔装置。
【請求項２】
前記回転機構は前記パンチピン保持部材が下降時に前記パンチピンと前記パンチピン保持部材とが当接する面にそれぞれ傾斜部を有し、傾斜部が摺動することにより前記パンチピンに回転を付与して穿孔し、穿孔後に穿孔時とは逆の回転を付与する戻し機構を備えたことを特徴とする請求項１記載の穿孔装置。
【請求項３】
前記戻し機構は前記パンチピン保持部材が穿孔後に前記パンチピンと前記パンチピン保持部材とが当接する面にそれぞれ傾斜部を有し、傾斜部が摺動することにより前記パンチピンに回転を付与させ前記パンチピンを初期位置に戻すことを特徴とする請求項２記載の穿孔装置。
【請求項４】
前記戻し機構は前記パンチピンと前記パンチピン上面に嵌合する戻し部材であって、各当接面にそれぞれ傾斜部を有し、前記パンチピン保持部材が上昇時に傾斜部が摺動することにより、前記パンチピンに回転を付与させ前記パンチピンを初期位置に戻すことを特徴とする請求項２記載の穿孔装置。
【請求項５】
前記回転機構は、前記パンチピンまたは前記パンチピン保持部材の何れか一方に螺旋状の溝を有し、他方には螺旋状の溝に嵌合する突起を有することを特徴とする請求項１記載の穿孔装置。
【請求項６】
前記パンチピンまたは前記パンチピン保持部材の何れか一方に設けられる溝に突起と嵌合する一部に穿孔方向と平行な溝を有することを特徴とする請求項５記載の穿孔装置。
【請求項７】
前記パンチピン保持部材と前記パンチピンとの接触の有無を前記弾性部材により設定することを特徴とする請求項１から６のいずれか１項に記載の穿孔装置。
【請求項８】
前記弾性部材の特性または前記パンチピン保持部材と前記パンチピンとの間隔に応じて、前記パンチピン保持部材と前記パンチピンとの接触のタイミングを設定することを特徴とする請求項７記載の穿孔装置。
【請求項９】
穿孔前に、シートを押さえる押さえ部材を備えたことを特徴とする請求項１から８のいずれか１項に記載の穿孔装置。
【請求項１０】
請求項１から９のいずれか１項に記載の穿孔装置を備えることを特徴とする用紙処理装置。
【請求項１１】
請求項１から９のいずれか１項に記載の穿孔装置を備えることを特徴とする画像形成装置。
【発明の詳細な説明】
【技術分野】
【０００１】
本発明は、用紙に穿孔処理を行う穿孔装置、穿孔装置を備えた用紙処理装置および画像形成装置に関する。
【背景技術】
【０００２】
従来から、画像形成装置で画像が形成された用紙に対して、穿孔部材であるパンチピンで穿孔処理を行う穿孔装置が知られている。
【０００３】
特許文献１には、パンチ部材にカム溝を有する円筒カムを設け、このパンチ部材を駆動手段で回転動させ、このカム面に係合したフォロア部材をベースフレームに固定することによって、パンチ部材はラジアル方向に回転しながら穿孔方向に上下動して穿孔させる構造が開示されている。
【０００４】
また、特許文献２には、画像形成装置内もしくは画像形成装置より排出されるシート材を搬入し、一旦停止させて前記シート材に対向し、フレームの長手方向に配設された複数のパンチピンと、前記複数のパンチピンに対応したダイス孔と前記フレームの長手方向に沿って往復動可能な複数のスライドアームと、前記複数のパンチピンと前記スライドアームとに連結されて前記フレームとの支持軸回りの回転により前記スライドアームの往復動を複数のパンチピンの穿孔方向の往復動に変換するリンク群を備えた穿孔装置が開示されている。
【０００５】
穿孔装置は、駆動源による駆動機構の回転運動がカム機構により前記複数のパンチピンの穿孔方向の往復動に変換されて前記複数のパンチピンと前記ダイス孔との協働によりシート材に孔列が形成される。
【発明の概要】
【発明が解決しようとする課題】
【０００６】
しかし、特許文献１に開示された技術では、カム溝を有する円筒カムを回転させることで、穿孔するパンチピンを選択し穿孔を行っている。カム溝のため、パンチピンを常に回転させており、パンチピンの選択、穿孔の際、常に溝とピンが摺動しており、摩擦抵抗による負荷の増加、摩耗が懸念される。さらに、パンチ穿孔部を構成するギヤ、カム溝付き部品、弾性部材等が複雑であり、安価な製品を提供できないという問題があった。
【０００７】
また、特許文献２に開示された技術では、スライドアームの往復動を複数のパンチピンの穿孔方向の往復動に変換するリンク群を備え、駆動源による駆動機構の回転運動がカム機構により前記複数のパンチピンの穿孔方向の往復動に変換されて穿孔するため、パンチピンを回転させることはできない。そのため、穿孔負荷の低減、静音化ができないという問題があった。
【０００８】
本発明は、前記課題を解決するためのものであり、その目的とするところは、ピンの上下運動だけで穿孔負荷に応じて回転運動に変換させるので、穿孔負荷の低減、静音化の機構を備えた穿孔処理装置を提供することである。
【課題を解決するための手段】
【０００９】
かかる目的を達成するために、本発明は、以下の特徴を有する。
【００１０】
本発明に係る穿孔装置は、予め定められた穿孔方向に上下昇降する穿孔部材と、前記穿孔部材が挿通されるダイス孔を有したダイフレームとを備える穿孔装置であって、前記穿孔部材は用紙を穿孔するパンチピンと、前記穿孔部材を昇降させる昇降部材と、前記昇降部材と連結するパンチピン保持部材と、パンチピンとパンチピン保持部材の間に配置される弾性部材と、を有し、前記パンチピンは前記パンチピン保持部材により回転自在に保持され、パンチピン保持部材の下降により前記弾性部材が圧縮され、パンチピンとパンチピン保持部材が当接することにより前記パンチピンに回転を付与させる螺旋状の回転機構を有することを特徴とする。
【発明の効果】
【００１１】
本発明によれば、ピンの上下運動だけで穿孔負荷に応じて回転運動に変換させるので、穿孔時の負荷低減、静音化を達成することができる。
【図面の簡単な説明】
【００１２】
【図１】本実施形態に係る穿孔装置を搭載した画像形成装置の概略図である。
【図２】第１の実施形態に係る穿孔装置の構成を示す分解図である。
【図３】穿孔装置の穿孔動作を示す図である。
【図４】穿孔装置の弾性部材の動作を示す断面図である。
【図５】第２の実施形態に係る穿孔装置の戻し機構の構成を示す図である。
【図６】穿孔装置の戻し機構の動作を示す図である。
【図７】穿孔装置の戻し機構の動作を示す断面図である。
【図８】第３の実施形態に係る穿孔装置の戻し機構の構成を示す図である。
【図９】穿孔装置の戻し機構の動作を示す図である。
【図１０】第４の実施形態に係る穿孔装置の回転機構の構成を示す図である。
【図１１】穿孔装置の穿孔動作を示す図である。
【図１２】穿孔装置の弾性部材の動作を示す断面図である。
【図１３】第５の実施形態に係る穿孔装置の回転機構の構成を示す図である。
【図１４】穿孔装置の穿孔動作を示す図である。
【図１５】第６の実施形態に係る穿孔装置の弾性部材の設定状態を示す断面図である。
【図１６】第７の実施形態に係る穿孔装置のパンチピンとパンチピン保持部の間隔を示す図である。
【図１７】第８の実施形態に係る穿孔装置の押さえ部材を示す図である。
【発明を実施するための形態】
【００１３】
以下、本実施形態について図面により詳細に説明する。
【００１４】
図１は、本実施形態に係る穿孔装置を搭載した画像形成装置の概略図である。画像形成装置としての複写機１は、原稿Ｄの画像情報を光学的に読み込む原稿読込部２と、原稿読込部２で読み込んだ画像情報に基づいた露光Ｌを感光体ドラム５上に照射する露光部３と、感光体ドラム５上にトナー像（画像）を形成する作像部４と、感光体ドラム５上に形成されたトナー像をシートＰ（用紙）に転写する転写部（画像形成部）７とを有している。
【００１５】
また、複写機１は、セットされた原稿Ｄを原稿読込部２に搬送する原稿搬送部８と、転写紙等のシートＰが収納された給紙部９と、転写部７に向けてシートＰを搬送するレジストローラ（レジストローラ対）１０と、シートＰ上の未定着画像を定着する定着装置１１と、定着装置１１に設置された定着ローラ１２と、定着装置１１に設置された加圧ローラ１３とを有している。
また、後処理装置１４は画像形成装置の本体に設置され、画像形成装置の本体から排出されて搬送されたシートＰに穿孔処理を施す穿孔装置１５を有している。
【００１６】
（第１の実施形態）
図２は、第１の実施形態に係る穿孔装置の構成を示す分解図である。穿孔装置はパンチピンに回転を付与させる回転機構部を有し、用紙を穿孔するパンチピン２１と、パンチピン２１を保持しパンチ昇降機構によって昇降するパンチピン保持部材２２と、パンチピン２１とパンチピン保持部材２２の間に配置される弾性部材２３とを含んで構成されている。
【００１７】
第１の実施形態の穿孔動作について説明する。図３は、穿孔装置の穿孔動作を示す図である。
パンチピン２１の先端が用紙２４と接触した際に穿孔負荷により弾性部材２３が圧縮され、パンチピン２１とパンチピン保持部材２２が互いの螺旋状の斜面に沿って摺動することでパンチピン２１が回転しながら穿孔する様子を示しており、動作の流れについては図３（ａ）〜（ｄ）に示す。
【００１８】
図３（ａ）はパンチピン２１の先端が用紙２４に接触する前の様子を表している。図３（ｂ）はパンチピン２１の先端が用紙２４に接触する様子を表している。図３（ｃ）はパンチピン２１が穿孔負荷により回転開始する様子を表している。図３（ｄ）はパンチピン２１が用紙２４を穿孔完了した様子を表している。
【００１９】
第１の実施形態の弾性部材の動作について説明する。図４は、穿孔装置の弾性部材２３の動作を示す断面図である。図４は図３の断面図である。弾性部材２３が穿孔負荷により圧縮され、その圧縮量に連動して回転しながら穿孔する様子を示しており、動作の流れについては図４（ａ）〜（ｄ）に示す。
【００２０】
図４（ａ）〜（ｄ）は図３（ａ）〜（ｄ）と同じタイミングで示している。図４（ｂ）の用紙２４にパンチピン２１が接触した時点では弾性部材２３が伸びた状態であるが、図４（ｄ）の穿孔時には穿孔負荷により弾性部材２３が圧縮される。
【００２１】
（第２の実施形態）
第２の実施形態の戻し機構について説明する。図５は、第２の実施形態に係る穿孔装置の戻し機構の構成を示す図である。
【００２２】
穿孔装置の戻し機構は用紙を穿孔するパンチピン２１と、パンチピン２１を保持しパンチ昇降機構によって昇降するパンチピン保持部材２２と、パンチピン２１とパンチピン保持部材２２の間に配置される図示しない弾性部材２３と、パンチピン２１の上端に設けられ螺旋状の斜面を有する戻し機構２５と、を含んで構成される。
【００２３】
図６は、穿孔装置の戻し機構の動作を示す図である。用紙２４への穿孔後、穿孔負荷によって圧縮されていた弾性部材２３が負荷より開放されて伸びることにより、パンチピン２１がパンチピン保持部材２２に対し下方に移動する。
【００２４】
その際に、パンチピン２１の上端側の戻し機構２５に配された螺旋状の斜面がパンチピン保持部材２２の上端の螺旋状の斜面に沿って下降するため、穿孔時とは逆の回転をして、パンチピン２１の角度が初期位置に戻る様子を示しており、動作の流れについては図６（ａ）〜（ｃ）に示す。
【００２５】
図６（ａ）はパンチピン２１が用紙２４を穿孔した状態を表している。弾性部材２３は圧縮されている。
図６（ｂ）は穿孔負荷によって圧縮されていた弾性部材２３が負荷より開放されて伸びることにより、パンチピン２１がパンチピン保持部材２２に対し下方に移動する。その際にパンチピン２１の上端側の戻し機構２５に配された螺旋状の斜面がパンチピン保持部材２２の上端の螺旋状の斜面に沿って下降するため、穿孔時とは逆方向に回転する様子を表している。
図６（ｃ）はパンチピン２１の角度が初期位置に戻り、回転が停止した状態を表している。
【００２６】
図７は、穿孔装置の戻し機構の動作を示す断面図である。図７は図６の断面図である。
穿孔負荷により圧縮されていた弾性部材２３が伸びて、パンチピン２１および戻し機構２５を回転させながらパンチピン２１の角度が初期位置に戻る様子を示しており、動作の流れについては図７（ａ）〜（ｃ）に示す。図７（ａ）〜（ｃ）は図６（ａ）〜（ｃ）と同じタイミングで示している。
【００２７】
回転機構はパンチピン保持部材が下降時にパンチピンとパンチピン保持部材とが当接する面にそれぞれ傾斜部を有し、傾斜部が摺動することによりパンチピンに回転を付与して穿孔し、穿孔後に穿孔時とは逆の回転を付与する戻し機構を有する。
【００２８】
これにより、ピンの上下運動だけで穿孔負荷に応じて回転運動に変換させるので、効率よくパンチピンを回転させながら穿孔でき、穿孔時の負荷低減、静音化を達成することができる。
【００２９】
（第３の実施形態）
第３の実施形態の戻し機構について説明する。図８は、第３の実施形態に係る穿孔装置の戻し機構の構成を示す図である。戻し部材２６は穿孔するための昇降機構から独立して上方に配置されており、パンチピン２１と戻し部材２６には互いに嵌合する面に同様の螺旋状の斜面を有している。
【００３０】
図９は、穿孔装置の戻し機構の動作を示す図である。穿孔後に昇降機構による昇降運動により、戻し部材２６の螺旋状の斜面に沿ってパンチピン２１の角度を初期位置に戻す様子を示しており、動作の流れについては図９（ａ）〜（ｄ）に示す。
【００３１】
図９（ａ）は用紙２４を穿孔した状態を表している。弾性部材２３は圧縮されている。図９（ｂ）は穿孔負荷によって圧縮されていた弾性部材２３が負荷より開放されて伸びることにより、パンチピン２１がパンチピン保持部材２２に対し下方に移動した状態を表している。
【００３２】
図９（ｃ）は昇降機構によって上昇し、パンチピン２１が戻し部材２６に接触した状態を表している。図９（ｄ）は戻し部材２６の螺旋状の斜面に沿ってパンチピン２１が上昇することで穿孔時とは逆方向に回転してパンチピン２１の角度を初期位置に戻す様子を表している。
【００３３】
戻し機構はパンチピンとパンチピン上面に嵌合する戻し部材であって、各当接面にそれぞれ傾斜部を有し、パンチピン保持部材が上昇時に傾斜部が摺動する。パンチピンに回転を付与させパンチピンを初期位置に戻すことにより、ピンの上下運動だけで回転運動に変換させるので、安価な穿孔装置を提供することができる。
【００３４】
（第４の実施形態）
パンチピン３１に回転を付与させる回転機構を有する穿孔装置の構成を説明する。図１０は、第４の実施形態に係る穿孔装置の回転機構の構成を示す図である。
【００３５】
穿孔装置はパンチピン３１に回転を付与させる回転機構部を有し、用紙２４を穿孔するパンチピン３１と、パンチピン３１を保持しパンチ昇降機構によって昇降するパンチピン保持部材３２と、パンチピン３１とパンチピン保持部材３２の間に配置される弾性部材３３とを含んで構成される。
パンチピン３１の側面に螺旋状溝３４と、パンチピン保持部材３２の先端に螺旋状溝３４に嵌合する突起３５とを、それぞれ対象位置に２つずつ有する。
【００３６】
第４の実施形態の穿孔動作について説明する。図１１は、穿孔装置の穿孔動作を示す図である。
パンチピン３１は用紙２４と接触した際に穿孔負荷により、弾性部材３３が圧縮される。パンチピン保持部材３２の先端の突起３５と嵌合する螺旋状溝３４に沿って摺動することで、回転しながら穿孔する様子を示しており、動作の流れについては図１１（ａ）〜（ｅ）に示す。
【００３７】
図１１（ａ）はパンチピン保持部材３２の下降に従って下降するパンチピン３１が用紙２４に接触する前の様子を表している。図１１（ｂ）は下降したパンチピン３１が用紙２４に接触する様子を表している。
図１１（ｃ）はパンチピン３１が穿孔負荷により螺旋状溝３４に沿って回転した様子を表している。図１１（ｄ）はパンチピン３１が用紙２４を穿孔完了した様子を表している。
【００３８】
図１１（ｅ）は穿孔負荷によって圧縮されていた弾性部材３３が負荷より開放されて伸びることにより、パンチピン３１がパンチピン保持部材３２に対し下方に移動する。その際にパンチピン３１が螺旋状溝３４に沿って下降するため穿孔時と反対方向に回転し、パンチピン３１の角度が初期位置に戻る様子を表している。図１１（ｅ）後、パンチピン保持部材３２が上昇し図１１（ａ）の状態に戻る。
【００３９】
第４の実施形態の弾性部材の動作について説明する。図１２は、穿孔装置の弾性部材の動作を示す断面図である。図１２は図１１の断面図である。弾性部材３３が穿孔負荷により圧縮され、その圧縮量に連動して回転しながら穿孔する様子を示しており、動作の流れについては図１２（ａ）〜（ｅ）に示す。
【００４０】
図１２（ａ）〜（ｅ）は図１１（ａ）〜（ｅ）と同じタイミングで示している。図１２（ｂ）の用紙２４にパンチピン３１が接触した時点では弾性部材３３が伸びた状態であるが、図１２（ｃ），（ｄ）の穿孔時には穿孔負荷により弾性部材２３が圧縮される。図１２（ｅ）は穿孔負荷によって圧縮されていた弾性部材３３が負荷より開放されて伸びることにより、パンチピン３１がパンチピン保持部材３２に対し下方に移動する。
【００４１】
回転機構は、パンチピンまたはパンチピン保持部材の何れか一方に螺旋状の溝を有し、他方には螺旋状の溝に嵌合する突起を有することにより、ピンの上下運動だけで穿孔負荷に応じて回転運動に変換させるので、穿孔時の負荷低減、静音化を達成することができる。
【００４２】
（第５の実施形態）
パンチピンに回転を付与させる回転機構を有する穿孔装置の構成を説明する。図１３は、第５の実施形態に係る穿孔装置の回転機構の構成を示す図である。
【００４３】
図１３は、図１０の穿孔装置において、螺旋状溝３４の開始部分に穿孔方向と平行な直線溝３６を設ける。溝の開始部分の直線溝３６によって、ある穿孔負荷までは無回転穿孔、ある穿孔負荷以上は回転穿孔というように、穿孔時の回転有無を設定することができる。
【００４４】
第５の実施形態の穿孔動作について説明する。図１４は、穿孔装置の穿孔動作を示す図である。
パンチピン３１が用紙２４と接触した際に穿孔負荷により弾性部材３３が圧縮されるとき、パンチピン保持部材３２の先端の突起３５と嵌合する溝形状が直線溝３６および螺旋状溝３４になっていることで、無回転穿孔および回転穿孔を行う様子を示しており、動作の流れについては図１４（ａ）〜（ｄ）に示す。
【００４５】
図１４（ａ）はパンチピン保持部材３２の下降に従って下降するパンチピン３１が用紙２４に接触する前の状態を表している。図１４（ｂ）は下降したパンチピン３１が用紙２４に接触した状態を表している。
【００４６】
図１４（ｃ）は弾性部材３３が穿孔負荷により圧縮される。突起３５は直線溝３６に沿うため、パンチピン３１は無回転の状態を表している。図１４（ｄ）は弾性部材３３が穿孔負荷により圧縮される。突起３５が螺旋状溝３４に沿い始めるため、パンチピン３１が回転した様子を表している。図１４（ｄ）後、図１１（ｃ）以降と同様の動作となる。
【００４７】
パンチピンまたはパンチピン保持部材の何れか一方に設けられる溝の最初に突起と嵌合する一部に穿孔方向と平行な溝を有することにより、効率よくパンチピンを穿孔できるので、穿孔時の負荷低減、静音化を達成することができる。
【００４８】
（第６の実施形態）
第６の実施形態の弾性部材による回転有無設定について説明する。図１５は、第６の実施形態に係る穿孔装置の弾性部材の設定状態を示す断面図である。
【００４９】
弾性部材２３の特性によって穿孔時の回転有無を穿孔負荷に応じて設定する。弾性部材２３の長さ、弾性力により設定が可能である。回転有無の設定状態を図１５（ａ）、（ｂ）に示す。図１５（ａ）は穿孔負荷によって弾性部材２３が圧縮され回転しながら穿孔する状態を表している。
【００５０】
図１５（ｂ）は穿孔負荷によって弾性部材２３が圧縮される前に穿孔するため回転を伴わない状態を表している。回転が必要となる穿孔負荷を予め検証することで、回転が必要となる穿孔負荷に対しては穿孔時に回転するように弾性部材２３の特性を設定することで回転有無を設定できる。
【００５１】
パンチピン保持部材とパンチピンとの接触の有無を弾性部材で設定することにより、効率よくパンチピンを穿孔できるので、穿孔時の負荷低減を達成することができる。
【００５２】
（第７の実施形態）
第７の実施形態のパンチピン２１とパンチピン保持部２２の間隔による回転有無設定について説明する。図１６は、第７の実施形態に係る穿孔装置のパンチピン２１とパンチピン保持部２２の間隔を示す図である。
【００５３】
穿孔時の回転有無のタイミングをパンチピン２１とパンチピン保持部材２２との間隔に応じて設定する。穿孔時の回転有無のタイミングを弾性部材２３の特性またはパンチピン２１とパンチピン保持部材２２との間隔に応じて設定する構成のうち、パンチピン２１とパンチピン保持部材２２との間隔を設定する例を図１６（ａ）、（ｂ）に示す。
【００５４】
図１６（ａ）はパンチピン２１とパンチピン保持部材２２との間隔が大きいため回転が開始するまでに弾性部材２３の圧縮量が多く必要な状態を表している。図１６（ｂ）はパンチピン２１とパンチピン保持部材２２との間隔が小さいため回転が開始するまでに弾性部材２３の圧縮量が多く必要ではない状態を表している。
【００５５】
パンチピン２１とパンチピン保持部材２２の間隔が大きい場合は回転を開始するまでに弾性部材２３の圧縮量が多く必要であるが、間隔が小さい場合は弾性部材２３の圧縮量は多く必要としない。このことから、パンチピン２１とパンチピン保持部材２２との接触のタイミングをパンチピン２１とパンチピン保持部材２２の間隔によって設定することで、穿孔負荷に応じて回転するタイミングを設定することができる。
【００５６】
弾性部材の特性またはパンチピン保持部材とパンチピンとの間隔に応じて、パンチピン保持部材とパンチピンとの接触のタイミングを設定することにより、効率よくパンチピンを回転させながら穿孔できるので、穿孔時の負荷低減、静音化を達成することができる。
【００５７】
（第８の実施形態）
図１７は、第８の実施形態に係る穿孔装置の押さえ部材を示す図である。パンチピン２１による用紙２４への穿孔前に、用紙２４穿孔部付近を押さえる押さえ部材４１を備えている。
【００５８】
押さえ部材４１は穿孔後に用紙２４から離れる。穿孔時に押さえ部材４１で用紙２４を押さえることで、パンチピン２１が回転することによる用紙２４への回転方向の力の影響を回避できる。
【００５９】
穿孔前に、シートを押さえる押さえ部材を備えたことにより、安定した用紙に穿孔できるので、品質の良い穿孔装置を提供することができる。
【００６０】
本実施形態によれば、穿孔部材は用紙を穿孔するパンチピンと、穿孔部材を昇降させる昇降部材と、昇降部材と連結するパンチピン保持部材と、パンチピンとパンチピン保持部材の間に配置される弾性部材とを含んで構成される。パンチピンはパンチピン周方向にパンチピン保持部材によりに回転自在に保持され、パンチピン保持部材の下降により弾性部材が圧縮されパンチピンとパンチピン保持部材が当接することにより、パンチピンに回転を付与させる螺旋状の回転機構を有する。
これにより、ピンの上下運動だけで穿孔負荷に応じて回転運動に変換させるので、穿孔時の負荷低減、静音化を達成することができる。
【００６１】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００６２】
１    複写機
１４    後処理装置
１５    穿孔装置
２１    パンチピン
２２    パンチピン保持部材
２３    弾性部材
２４    用紙
２５    戻し機構
２６    戻し部材
３４    螺旋状溝
３５    突起
３６    直線溝
４１    押さえ部材
【先行技術文献】
【特許文献】
【００６３】
【特許文献１】特許第５１８３１８０号公報
【特許文献２】特許第４９０６０９１号公報
【図１】
2015217456.tif 000003
【図２】
2015217456.tif 000004
【図３】
2015217456.tif 000005
【図４】
2015217456.tif 000006
【図５】
2015217456.tif 000007
【図６】
2015217456.tif 000008
【図７】
2015217456.tif 000009
【図８】
2015217456.tif 000010
【図９】
2015217456.tif 000011
【図１０】
2015217456.tif 000012
【図１１】
2015217456.tif 000013
【図１２】
2015217456.tif 000014
【図１３】
2015217456.tif 000015
【図１４】
2015217456.tif 000016
【図１５】
2015217456.tif 000017
【図１６】
2015217456.tif 000018
【図１７】
2015217456.tif 000019